(57)【要約】  パッケージ及び該パッケージを開放する方法が開示されている。パッケージは、封入部及び少なくとも１つのタブ領域（１６）を形成しかつパッケージ周縁部（１８）を形成する第１のフィルム（１１）及び第２のフィルム（１２）を有し、封入部は、製品を収容するよう構成された内部体積を形成している。パッケージはさらに、少なくとも１つのタブ領域（１６）の第１及び第２のタブ部分（２４，２６）内に形成された第１及び第２の破裂可能袋（２０，２２）を有する。使用者によって圧力が加えられると、第１及び第２の破裂可能袋（２０，２２）は破裂する。パッケージは、破裂を容易にするために第１のタブ部分（２４）及び第２のタブ部分（２６）が互いに対して実質的にシールされた第１の位置と、第１のタブ部分（２４）と第２のタブ部分（２６）とが互いに流体接続している第２の位置との間で交替させられてよい。
2013530104.tif 000002
【特許請求の範囲】
【請求項１】
パッケージであって、
第１のフィルム及び第２のフィルムであって、封入部と、少なくとも１つのタブ領域とを形成しかつパッケージ周縁部を形成し、前記封入部は、製品を収容するよう構成された内部体積を形成している、第１のフィルム及び第２のフィルムと、
前記少なくとも１つのタブ領域の第１のタブ部分内に形成された第１の破裂可能袋と、
前記少なくとも１つのタブ領域の第２のタブ部分内に形成された第２の破裂可能袋とを備え、
前記少なくとも１つのタブ領域に使用者によって圧力を加えた時に、前記第１の破裂可能袋が破裂し、前記第１のフィルム及び前記第２のフィルムの第１のシールされた部分を分離させ、前記封入部と前記第１のタブ部分との間に第１の破裂通路を形成し、かつ前記第２の破裂可能袋が破裂し、前記第１のフィルム及び前記第２のフィルムの第２のシールされた部分を分離させ、前記第２のタブ部分と前記パッケージ周縁部との間に第２の破裂通路を形成するように、前記第１の破裂可能袋及び前記第２の破裂可能袋内に十分な流体が捕捉されていることを特徴とする、パッケージ。
【請求項２】
第１の位置において、前記第１のタブ部分と前記第２のタブ部分とは、破裂を容易にするために互いに対して実質的にシールされており、前記第２の位置において、前記第１のタブ部分と第２のタブ部分とは互いに流体接続している、請求項１記載のパッケージ。
【請求項３】
前記第１の位置において、前記第１のフィルムと前記第２のフィルムとは、前記第２のタブ部分を形成している前記第２のフィルムの部分が、前記第１のタブ部分を形成している前記第２のフィルムの部分に隣接して配置されかつ該部分に解放可能に固定されるように、折り畳まれている、請求項１記載のパッケージ。
【請求項４】
前記第１のフィルムと前記第２のフィルムとを折り畳むことが折り線を形成し、該折り線は、前記第１のタブ部分と前記第２のタブ部分とを形成する、請求項３記載のパッケージ。
【請求項５】
前記第２の位置において、前記第２のタブ部分を形成している前記第２のフィルムの部分は、前記第１のタブ部分を形成している前記第２のフィルムの部分から解放されている、請求項１記載のパッケージ。
【請求項６】
前記少なくとも１つのタブ領域に使用者によって圧力を加えた時に、前記第１の破裂可能袋と前記第２の破裂可能袋とは実質的に同時に破裂する、請求項１記載のパッケージ。
【請求項７】
さらに、前記少なくとも１つのタブ領域に配置されかつ前記少なくとも１つのタブ領域を前記第１のタブ部分と前記第２のタブ部分とに分割するバリアを備え、該バリアは、該バリアを貫通するバリア通路を形成する、請求項１記載のパッケージ。
【請求項８】
前記第１のフィルム及び前記第２のフィルムの前記第１のシールされた部分は、第１の破裂箇所を有し、前記第１のフィルム及び前記第２のフィルムの前記第２のシールされた部分は、第２の破裂箇所を有し、前記第１の破裂可能袋が破裂する時に、前記第１のフィルムと前記第２のフィルムとは前記第１の破裂箇所において分離し、前記第２の破裂可能袋が破裂する時に、前記第１のフィルムと前記第２のフィルムとは前記第２の破裂箇所において分離する、請求項１記載のパッケージ。
【請求項９】
パッケージを開放する方法であって、
パッケージの少なくとも１つのタブ領域であって、該少なくとも１つのタブ領域は第１のタブ部分と第２のタブ部分とを有し、前記第１のタブ部分及び前記第２のタブ部分は第１の位置において互いに対して実質的にシールされて配置されている、パッケージの少なくとも１つのタブ領域に圧力を加え、
第１の破裂可能袋であって、前記第１のタブ部分内に形成された第１の破裂可能袋を破裂させ、
第２の破裂可能袋であって、前記第２のタブ部分内に形成された第２の破裂可能袋を破裂させ、
前記第１のタブ部分及び前記第２のタブ部分を前記第１の位置から、互いに流体接続した第２の位置へシフトさせることを含み、
前記パッケージは第１のフィルム及び第２のフィルムを含み、前記第１のフィルム及び前記第２のフィルムは、封入部と、少なくとも１つのタブ領域とを形成しておりかつパッケージ周縁部を形成しており、前記封入部は、製品を収容するよう構成された内部体積を形成していることを特徴とする、パッケージを開放する方法。
【請求項１０】
前記第１の破裂可能袋を破裂させるステップと、前記第２の破裂可能袋を破裂させるステップとが、実質的に同時に生じる、請求項９記載の方法。
【請求項１１】
前記第１の破裂可能袋を破裂させることは、前記第１のフィルム及び前記第２のフィルムの第１のシールされた部分を分離させて前記封入部と前記第１のタブ部分との間に第１の破裂通路を形成することを含み、前記第２の破裂可能袋を破裂させることは、前記第１のフィルム及び前記第２のフィルムの第２のシールされた部分を分離させて前記第２のタブ部分と前記パッケージ周縁部との間に第２の破裂通路を形成することを含む、請求項９記載の方法。
【請求項１２】
前記第１の位置において、前記第１のフィルム及び前記第２のフィルムは、前記第２のタブ部分を形成している前記第２のフィルムの部分が、前記第１のタブ部分を形成している前記第２のフィルムの部分に隣接して配置されかつ該部分に解放可能に固定されるように、折り畳まれており、前記第２の位置において、前記第２のタブ部分を形成している前記第２のフィルムの部分は、前記第１のタブ部分を形成している前記第２のフィルムの部分から解放されている、請求項９記載の方法。
【請求項１３】
前記パッケージは、さらに、前記少なくとも１つのタブ領域に配置されかつ該少なくとも１つのタブ領域を前記第１のタブ部分と前記第２のタブ部分とに分割するバリアを含み、該バリアは、該バリアを貫通するバリア通路を形成する、請求項９記載の方法。
【請求項１４】
パッケージを形成する方法であって、
第１のフィルムを提供し、
該第１のフィルムに封入部及び少なくとも１つのタブ領域を形成し、前記封入部は、製品を収容するよう構成された内部体積を形成しており、
前記少なくとも１つのタブ領域に流体を導入し、
前記第１のフィルムに隣接して第２のフィルムを提供し、
パッケージ周縁部を形成しかつ前記少なくとも１つのタブ領域に少なくとも１つの破裂可能袋を形成するように前記第１のフィルムと前記第２のフィルムとを互いにシールし、前記少なくとも１つのタブ領域に使用者によって圧力を加えた時に、前記破裂可能袋が破裂し、前記第１のフィルムのシールされた部分を前記第２のフィルムから分離させるように、前記少なくとも１つの破裂可能袋に十分な流体が捕捉されることを特徴とする、パッケージを形成する方法。
【請求項１５】
形成ステップが、前記第１のフィルムに封入部及び少なくとも１つのタブ領域を真空成形することを含む、請求項１４記載の方法。
【請求項１６】
シールするステップが、前記第１のフィルム及び前記第２のフィルムに熱を加えかつ前記第１のフィルム及び前記第２のフィルムに圧力を加えることを含む、請求項１４記載の方法。
【請求項１７】
シールするステップが、前記第１のフィルム及び前記第２のフィルムの間に接着剤を提供しかつ前記第１のフィルム及び前記第２のフィルムに圧力を加えることを含む、請求項１４記載の方法。
【請求項１８】
前記少なくとも１つのタブ領域は、第１のタブ部分及び第２のタブ部分を含む、請求項１４記載の方法。
【請求項１９】
前記第１のフィルムと前記第２のフィルムとを互いにシールすることは、前記少なくとも１つのタブ領域の前記第１のタブ部分内における第１の破裂可能袋と、前記少なくとも１つのタブ領域の前記第２のタブ部分内における第２の破裂可能袋とを形成し、前記少なくとも１つのタブ領域に使用者によって圧力が加えられた時に、前記第１の破裂可能袋が破裂し、前記第１のフィルム及び前記第２のフィルムの第１のシールされた部分を分離させ、前記封入部と前記第１のタブ部分との間に第１の破裂通路を形成し、かつ前記第２の破裂可能袋が破裂し、前記第１のフィルム及び前記第２のフィルムの第２のシールされた部分を分離させ、前記第２のタブ部分と前記パッケージ周縁部との間に第２の破裂通路を形成するように、前記第１の破裂可能袋及び前記第２の破裂可能袋内に十分な流体が捕捉される、請求項１８記載の方法。
【請求項２０】
形成するステップは、前記少なくとも１つのタブ領域に配置されておりかつ前記少なくとも１つのタブ領域を前記第１のタブ部分と前記第２のタブ部分とに分割したバリアを形成することを含み、前記バリアは、該バリアを貫通したバリア通路を形成している、請求項１８記載の方法。
【発明の詳細な説明】
【技術分野】
【０００１】
関連する出願
本願は、２０１０年５月７日に出願された米国特許仮出願第６１／３３２４２０号明細書及び２０１０年１０月２６日に出願された米国特許出願第１２／９１２０８９号明細書に対する優先権を主張する。
【０００２】
発明の背景
多くの製品、特に消費者製品は、プラスチック又はポリマフィルムから形成されたフレキシブルなバッグに包装されている。ポリマフィルムから形成されたパッケージは様々な利点を提供することができる。例えば、ポリマフィルムは、隙間を排除するために製品の周囲に密着して巻き付けることができる。結果として生じるパッケージは、極めてかさばることがなく、取扱いが容易である。ポリマフィルムは時には半透明であることができ、購入前に購入者が内容を見ることを可能にする。さらに、ポリマフィルムには、製品をより魅力的にするために装飾的な絵柄を印刷することができる。
【０００３】
ポリマフィルムから形成されたパッケージは様々な利点を提供することができるが、このようなパッケージを開放することはかなり困難である場合がある。例えば、ポリマフィルムは、包装プロセス及びその後の輸送プロセスの間の破裂を防止するために十分な強度を有さなければならない。しかしながら、パッケージの内容物を包囲するフィルム又はシールの強度を高めることは、しばしばパッケージを開放するときの困難さを高める。例えば、シリアル、ポテトチップなどを内包するパッケージのような多くのこのようなパッケージは、容易な開放手段を有さない。つまり、大きな力、はさみ、ナイフ、又は別の適切な器具が、パッケージを開放するために使用される必要がある。
【０００４】
パッケージ用の開放装置の例は、例えば、ペレル他の米国特許第６７２６３６４号明細書、ペレルの米国特許第６９３８３９４号明細書、ペレルの米国特許第７３０６３７１号明細書、ペレルの米国特許第７６４４８２１号明細書、ペレルの米国再発行特許第４１２７３号明細書、ペレルの米国特許出願公開第２００８／０２１２９０４号明細書、ペレルの米国特許出願公開第２００７／０２９５７６６号明細書、ペレルの米国特許出願公開第２００７／０２８６５３５号明細書、ペレルの米国特許出願公開第２００７／０２８４３７５号明細書、ペレルの米国特許出願公開第２００７／０２４１０２４号明細書、ペレルの米国特許出願公開第２００７／０２３７４３１号明細書、ペレルの米国特許出願公開第２００７／０２３５３６９号明細書、ペレルの米国特許出願公開第２００７／０２３５３５７号明細書、ペレルの米国特許出願公開第２００６／０１２６９７０号明細書、ペレルの米国特許出願公開第２００４／０２３１２９２号明細書、ペレルの米国特許出願公開第２００４／００５７６３８号明細書に開示されている。上記で引用した発行された特許及び公開された出願の各々の主体は、引用したことにより、及び全ての目的のために、本明細書に完全に組み込まれる。
【０００５】
上記を考慮して、パッケージの容易な開放を容易にする開放装置を備えたパッケージ、及びパッケージを開放する方法の必要性が現在では存在する。さらに、開放により、周囲からパッケージ内の製品へのアクセスのための、開放装置を通る通路を提供する開放装置を備えたパッケージは有利である。
【０００６】
発明の簡単な説明
発明の態様及び利点は、以下の説明において部分的に示されるか、又は説明から明らかであるか、又は発明の実用を通じて学習されてよい。
【０００７】
１つの実施の形態において、パッケージが開示される。パッケージは、第１のフィルムと第２のフィルムとを有する。第１のフィルムと第２のフィルムとは、封入部及び少なくとも１つのタブ領域を形成し、パッケージ周縁部を形成する。封入部は、製品を収容するよう構成された内部体積を形成する。パッケージはさらに、少なくとも１つのタブ領域の第１のタブ部分内に形成された第１の破裂可能袋と、少なくとも１つのタブ領域の第２のタブ部分内に形成された第２の破裂可能はブルとを有する。少なくとも１つのタブ領域に使用者によって圧力を加えると、第１の破裂可能袋が破裂し、第１のフィルム及び第２のフィルムの第１のシールされた部分を分離させ、封入部と第１のタブ部分との間に第１の破裂通路を形成し、かつ第２の破裂可能袋が破裂し、第１のフィルム及び第２のフィルムの第２のシールされた部分を分離させ、第２のタブ部分とパッケージ周縁部との間に第２の破裂通路を形成するように、第１の破裂袋及び第２の破裂可能袋内には十分な流体が捕捉されていてよい。第１の位置において、第１のタブ部分及び第２のタブ部分は、破裂を容易にするために互いに対して実質的にシールされている。第２の位置において、第１のタブ部分及び第２のタブ部分は互いに流体接続している。
【０００８】
別の実施の形態において、パッケージを開放する方法が開示される。方法は、パッケージの少なくとも１つのタブ領域に圧力を加えるステップを有する。パッケージは、第１のフィルム及び第２のフィルムを有し、第１のフィルム及び第２のフィルムは、封入部及び少なくとも１つのタブ領域を形成し、かつパッケージ周縁部を形成し、封入部は、製品を収容するよう構成された内部体積を形成する。少なくとも１つのタブ領域は、第１のタブ部分及び第２のタブ部分を有する。第１のタブ部分及び第２のタブ部分は、互いに対して実質的にシールされた第１の位置に配置されている。方法は、さらに、第１の破裂可能袋を破裂させかつ第２の破裂可能袋を破裂させるステップを有する。第１の破裂可能袋は、第１のタブ部分内に形成されている。第２の破裂可能袋は、第２のタブ部分内に形成されている。方法は、さらに、第１のタブ部分及び第２のタブ部分を、第１の位置から、互いに流体接続した第２の位置へシフトさせるステップを有する。
【０００９】
さらに別の実施の形態において、パッケージを形成する方法が開示される。この方法は、第１のフィルムを提供し、第１のフィルムに封入部及び少なくとも１つのタブ領域を形成することを含む。封入部は、製品を収容するよう構成された内部体積を形成する。方法は、付加的に、少なくとも１つのタブ領域に流体を導入し、第１のフィルムに隣接して第２のフィルムを提供することを含む。さらに、方法は、パッケージ周縁部を形成しかつ少なくとも１つのタブ領域に少なくとも１つの破裂可能袋を形成するために第１のフィルムと第２のフィルムとを互いにシールすることを含む。少なくとも１つのタブ領域に使用者によって圧力を加えることにより、破裂可能袋が破裂し、第１のフィルムのシールされた部分を第２のフィルムから分離させるように、少なくとも１つの破裂可能袋内に十分な流体が捕捉されてよい。
【００１０】
本発明のこれらの及びその他の特徴、態様及び利点は、以下の詳細な説明及び添付の請求項を参照することによりさらによく理解されるであろう。本明細書に組み込まれかつ本明細書の一部を構成する添付の図面は、発明の実施の形態を例示しており、詳細な説明とともに、発明の原理を説明するために働く。
【００１１】
当業者に向けられた、本発明の最良の態様を含む本発明の完全な、可能にする開示は、明細書に示されており、添付の図面を参照する。
【図面の簡単な説明】
【００１２】
【図１】第１の位置における、本開示のパッケージの１つの実施の形態の平面図である。
【図２】第１の位置における、本開示の第１及び第２の破裂可能袋の１つの実施の形態の断面図である。
【図３】破裂可能袋を破裂させる圧力が破裂可能袋に加えられたときの、第１の位置における、本開示の第１及び第２の破裂可能袋の１つの実施の形態の断面図である。
【図４】第２の位置における本開示の第１及び第２の破裂可能袋の１つの実施の形態の断面図である。
【図５】第２の位置における、本開示のパッケージの１つの実施の形態の平面図である。
【図６】本開示のバリアの１つの実施の形態の平面図である。
【図７】本開示のバリアの択一的な実施の形態の平面図である。
【図８】本開示のバリアの別の択一的な実施の形態の平面図である。
【図９】第２の位置における、本開示のパッケージの択一的な実施の形態の平面図である。
【図１０】第１の位置における、本開示のパッケージの択一的な実施の形態の平面図である。
【図１１】第１の位置における、本開示の第１及び第２の破裂可能袋の別の実施の形態の断面図である。
【図１２】第２の位置における、本開示の第１及び第２の破裂可能袋の別の実施の形態の断面図である。
【図１３】本開示の方法の１つの実施の形態の斜視図である。
【００１３】
発明の詳細な説明
ここで発明の実施の形態を詳細に引用し、そのうちの１つ又は２つ以上の例が図面に示されている。各々の例は、発明の限定ではなく、発明の説明として提供されている。実際には、発明の範囲又は思想から逸脱することなく本発明において様々な修正及び変更を行うことができることは当業者に明らかになるであろう。例えば、１つの実施の形態の一部として例示又は説明された特徴を、さらに別の実施の形態を生ずるために、別の実施の形態とともに用いることができる。つまり、本発明は、添付の請求項及びそれらの均等物の範囲に含まれるこのような修正及び変更を網羅することが意図されている。
【００１４】
概して、本発明は、パッケージを開放するための独特の開放装置を有するパッケージ、及びパッケージを開放する方法に関する。１つの実施の形態におけるパッケージは、ポリマフィルムの１つ又は２つ以上の層から形成することができる。例えばパッケージの壁部はフレキシブルであることができる。過去には、このようなパッケージは開放するのが比較的困難であった。しかしながら、本開示によれば、パッケージは、パッケージのタブ領域の別個の部分内に形成された第１の破裂可能袋と第２の破裂可能袋とを有する。使用者によって圧力が加えられることによって袋が破裂するように、第１及び第２の破裂可能袋内には十分な流体が捕捉されていてよい。袋の破裂は、フィルムの層の様々なシールされた部分を分離させることができる。さらに、袋は幾つかの実施の形態において実質的に同時に破裂してよく、これにより、フィルムの層の様々なシールされた部分を実質的に同時に分離させる。シールされた部分が分離させられると、フィルムの層はタブ領域を通る通路を提供してよく、パッケージの内容物は容易にアクセス可能となる。
【００１５】
図１を参照すると、符号１０は概して本発明の１つの実施の形態によるパッケージを示している。パッケージ１０は、第１のフィルム１１（図２から図４）及び第２のフィルム１２を有してよい。第１のフィルム１１及び第２のフィルム１２は、概して、フレキシブルなポリマフィルムであってよい。本発明の１つの実施の形態において、第１のフィルム１１及び第２のフィルム１２は、フレキシブルなポリマフィルムの１つのシートの複数の部分であってよい。別の実施の形態において、第１のフィルム１１及び第２のフィルム１２は、フレキシブルなフィルムの別個のシートであってよい。パッケージ内に含まれる又は収容される製品のタイプを含む様々な要因に応じて、パッケージ１０はあらゆる適切な形状を有することができることを理解すべきである。
【００１６】
第１のフィルム１１及び第２のフィルム１２は、あらゆる適切なポリマから形成することができる。パッケージを形成するために使用されてよいポリマは、例えば、ポリエチレン及びポリプロピレンのようなポリオレフィン、ポリエステル、ポリアミド、塩化ポリビニル、これらの混合物、これらのコポリマ、これらのターポリマ、及び同様のものを含む。さらに、パッケージは、あらゆる適切なエラストマポリマから形成することもできる。しかしながら、第１のフィルム１１及び第２のフィルム１２はフレキシブルなポリマフィルムに限定されるのではなく、あらゆる適切なフィルムであってよいことを理解すべきである。例えば、第１のフィルム１１及び第２のフィルム１２は、アルミニウム、ラミネート紙又は同様のものから形成されてよい。
【００１７】
第１のフィルム１１及び第２のフィルム１２はそれぞれ、材料の１つの層から成ることができるか又は複数の層から成ることができる。例えば、第１のフィルム１１及び第２のフィルム１２はそれぞれ、一方又は両方の側において別の機能的なポリマ層で被覆されたポリマ材料のコア層を有することができる。別の機能的なポリマ層は、例えば、酸素バリア層、紫外線フィルタ層、アンチブロッキング層、印刷層及び同様のものを含んでよい。
【００１８】
第１のフィルム１１及び第２のフィルム１２はそれぞれ半透明又は透明であることができる。半透明又は透明であると、例えばパッケージ１０の内容物を外側から見ることができる。しかしながら、別の実施の形態において、第１のフィルム１１及び第２のフィルム１２はそれぞれ不透明であることができる。例えば、１つの実施の形態において、パッケージ１０は、例えば内部の製品のブランド及び説明を識別するグラフィック、又はクーポン又は様々なしるしを表示するグラフィックを表示することができる。別の実施の形態において、第２のフィルム１２が不透明である一方で第１のフィルム１１が半透明又は透明であることができ、また第２のフィルム１２が半透明又は透明である一方で第１のフィルム１１が不透明であることができる。
【００１９】
本開示によれば、第１のフィルム１１及び第２のフィルム１２は、封入部１４と、少なくとも１つのタブ領域１６とを形成するように、互いにシールされていてよい。第１のフィルム１１及び第２のフィルム１２は、あらゆる適切なシーリング技術を使用して互いにシールされていてよいか、又は接着剤層７２を使用して互いにシールされていてよい。適切な接着剤７２は、熱シール接着剤、低温シール接着剤、乾燥接着剤、エマルジョン接着剤、光硬化接着剤、又はその他のあらゆる適切な接着剤を含んでよい。
【００２０】
第１のフィルム１１及び第２のフィルム１２は、パッケージ周縁部１８を形成していてよい。封入部１４は、製品８０を収容するよう構成された内部体積１５を形成していてよい（図１及び図５）。１つの実施の形態において、製品８０は内部体積１５に配置されていてよい。製品８０は、幾つかの実施の形態において、消費者製品であってよい。１つの実施の形態において、例えば、製品８０は、ゲル、クリーム、ペースト、シロップ、はちみつ、油、ソース、潤滑剤、又はグリスを含んでよい。幾つかの実施の形態において、製品８０は、マヨネーズのようなエマルジョンを含んでよい。幾つかの実施の形態において、製品８０は、飲料のような液体を含んでよい。別の実施の形態において、製品８０は、粉末又は顆粒の固体のような固体を含んでよい。さらに、別の実施の形態において、製品８０はガスを含んでよい。製品８０は様々な状態の製品のあらゆる組合せを含んでよいことをさらに理解すべきである。例えば、製品８０は、液体及び固体を含んでよく、例えば、調味料又はその他の食料製品又は香辛料、又はあらゆるその他の適切な製品又は消費者製品であってよい。
【００２１】
さらに、製品８０は、本開示のパッケージ１０が開放されたときに空気に曝されることによって状態を変化させることができてよい。例えば、製品８０は、空気に曝されたときに液体になる固体を含んでよいか、又は製品８０は、空気に曝されたときに気体になる固体を含んでよい。例えば、製品８０は、水に変化する氷を含んでよいか、又は昇華を受ける二酸化炭素を含んでよい。さらに、製品８０は、空気に曝されたときに気体になる液体を含んでよいか、又は製品８０は、空気に曝されたときに液体になる気体を含んでよい。例えば、製品８０は、水蒸気に変化する水を含んでよいか、又は水に変化する水蒸気を含んでよい。本開示の製品８０は、昇華、析出、イオン除去、気化、凝縮、凍結、又は融解を含むあらゆる相変化を受けてよいことを理解すべきである。
【００２２】
概して、タブ領域１６は、パッケージ周縁部１８の近くに配置されていてよい。例えば、タブ領域１６は、図１及び図５に示したように、パッケージ１０の角に配置されてよいか、又は図９に示したように、パッケージ１０の端部に配置されてよいか、又はパッケージのあらゆる他の位置に配置されてよい。パッケージ１０は、１つのタブ領域１６を有してよいか、又は択一的にパッケージ周縁部１８に沿って配置された複数のタブ領域１６を有してよい。
【００２３】
パッケージ１０は、さらに、第１の破裂可能袋２０及び第２の破裂可能袋２２を有してよい。第１の破裂可能袋２０は、タブ領域１６の第１のタブ部分２４内に形成されてよい。第２の破裂可能袋２２は、タブ領域１６の第２のタブ部分２６内に形成されてよい。例えば、幾つかの実施の形態において、第１の破裂可能袋２０及び第２の破裂可能袋２２は、１つの破裂可能袋の複数の部分であってよい。以下で説明するような折り線３０は、概して、第１のタブ部分２４と第２のタブ部分２６とを形成してよく、ひいては第１の破裂可能袋２０と第２の破裂可能袋２２とを形成してよい。択一的に、第１の破裂可能袋２０及び第２の破裂可能袋２２は、概して別個の破裂可能袋であってよい。パッケージ１０は、少なくとも１つのタブ領域１６に配置されたバリア３２を有してよい。バリア３２は、以下で説明するようにタブ領域１６を第１のタブ部分２４と第２のタブ部分２６とに分割してよく、ひいては第１の破裂可能袋２０及び第２の破裂可能袋２２をも形成してよい。第１の破裂可能袋２０及び第２の破裂可能袋２２は幾つかの実施の形態において概して別個の破裂可能袋であってよいが、別個の袋は、以下で説明するような幾つかの実施の形態及び位置において流体接続していてよく、以下で説明するような別の実施の形態及び位置において互いに対して実質的にシールされていてよい。
【００２４】
典型的な実施の形態において、第１の破裂可能袋２０及び第２の破裂可能袋２２は、図２から図４までに示したように、タブ領域１６から第１のフィルム１１へのみ突出していてよい。しかしながら、択一的な実施の形態において、第１の破裂可能袋２０及び第２の破裂可能袋２２は、タブ領域１６から第２のフィルム１２へのみ突出しているか、又は第１のフィルム１１及び第２のフィルム１２の両方へ突出していてよい。さらに、第１の破裂可能袋２０及び第２の破裂可能袋２２は、タブ領域１６から同じ方向に突出する必要はないことを理解すべきである。例えば、第１の破裂可能袋２０及び第２の破裂可能袋２２のうちの一方はタブ領域１６から第１のフィルム１１へ突出してよいのに対し、他方はタブ領域１６から第２のフィルム１２へ突出してよい。
【００２５】
少なくとも一方のタブ領域１６にユーザによって圧力が加えられることにより、第１の破裂可能袋２０が破裂し、図３に示したように第１のフィルム１１の第１のシールされた部分４０を第２のフィルム１２から分離させるように、第１の破裂可能袋２０内に十分な流体が捕捉されてよい。例えば、第１の破裂可能袋２０は、タブ領域１６の第１のタブ部分２４にユーザによって圧力が加えられることにより破裂してよい。第１の破裂可能袋２０が破裂すると、これは第１のフィルム１１及び第２のフィルム１２の第１のシールされた部分４０を分離させてよく、図２から図５に示したように、封入部１４と第１のタブ部分２４との間に第１の破裂通路４２を形成する。
【００２６】
少なくとも一方のタブ領域１６に使用者によって圧力が加えられることにより、第２の破裂可能袋２２が破裂し、図３に示したように、第１のフィルム１１の第２のシールされた部分５０を第２のフィルム１２から分離させるように、第２の破裂可能袋２２内にも十分な流体が捕捉されてよい。例えば、第２の破裂可能袋２２は、タブ領域１６の第２のタブ部分２６に使用者によって圧力を加えることによって破裂してよい。第２の破裂可能袋２２が破裂すると、これは第１のフィルム１１及び第２のフィルム１２の第２のシールされた部分５０を分離させ、図２から図５に示したように、第２のタブ部分２６とパッケージ周縁部１８との間に第２の破裂通路５２を形成する。
【００２７】
流体は、例えば液体又は気体であってよい。１つの実施の形態において、流体は空気であってよい。
【００２８】
第１のシールされた部分４０は、概して、タブ領域１６を部分的に包囲しかつ形成する、例えば第１のタブ部分２４を部分的に包囲しかつ形成する、周縁シールであってよい。第１のシールされた部分４０は、あらゆる適切なシーリング技術を使用して形成されてよいか、又は上述のように、接着剤層７２を使用して互いにシールされてよい。幾つかの実施の形態において、第１のシールされた部分４０は、第１の破裂箇所４４を有してよい。第１の破裂箇所４４は、第１の破裂可能袋２０が破裂させられるときに、第１のシールされた部分４０の他の部分よりも容易に分離する、第１のシールされた部分４０における領域であってよい。つまり、第１の破裂可能袋２０が破裂すると、第１のフィルム１１と第２のフィルム１２とは第１の破裂箇所４４において分離してよい。さらに、第１の破裂可能袋２０が破裂すると、第１の破裂箇所４４において、この第１の破裂箇所４４を貫いて、第１の破裂通路４２が形成されてよい。
【００２９】
第２のシールされた部分５０は、概して、タブ領域１６を部分的に包囲しかつ形成する、例えば第２のタブ部分２６を部分的に包囲しかつ形成する、周縁シールであってよい。第２のシールされた部分５０は、あらゆる適切なシーリング技術を使用して形成されてよいか、又は上述のように、接着剤層７２を使用して互いにシールされてよい。例えば、第２のシールされた部分５０は、幾つかの実施の形態において、パッケージ周縁部１８の一部を含む。幾つかの実施の形態において、第２のシールされた部分５０は、第２の破裂箇所５４を有してよい。第２の破裂箇所５４は、第２の破裂可能袋２２が破裂させられるときに、第２のシールされた部分５０の他の部分よりも容易に分離する、第２のシールされた部分５０における領域であってよい。つまり、第２の破裂可能袋２２が破裂すると、第１のフィルム１１と第２のフィルム１２とは第２の破裂箇所５４において分離してよい。さらに、第２の破裂可能袋２２が破裂すると、第２の破裂箇所５４において、この第２の破裂箇所５４を貫いて、第２の破裂通路５２が形成されてよい。
【００３０】
第１の破裂可能袋２０及び第２の破裂可能袋２２はそれぞれ、袋２０及び２２が破裂させられるときに別々の破裂音を提供してよい。破裂音は、第１の破裂可能袋２０及び第２の破裂可能袋２２がそれぞれ破裂させられるときに第１のタブ部分２４及び第２のタブ部分２６から捕捉された流体が逃げ出すことによって生ぜしめられてよい。例えば、１つの実施の形態において、第１の破裂可能袋２０及び第２の破裂可能袋２２はそれぞれ、破裂可能袋２０及び２２が破裂させられたときに、小さな風船が破裂するのに似たパン音を提供してよい。別の実施の形態において、第１の破裂可能袋２０及び第２の破裂可能袋２２は、例えば、ピー音、パチン音、又はヒュー音を提供してよい。
【００３１】
本開示のパッケージ１０は、さらに、図１から図３に示したような第１の位置と、図４、５及び９に示したような第２の位置との間で交替してよい。第１の位置において、第１のタブ部分２４及び第２のタブ部分２６は、破裂を容易にするために互いに対して実質的にシールされていてよい。例えば、第１のタブ部分２４及び第２のタブ部分２６が互いに対して実質的にシールされていることにより、第１の破裂可能袋２０と第２の破裂可能袋２２とは互いに対して実質的にシールされていてよい。つまり、第１の位置において、第１及び第２の破裂可能袋２０及び２２のそれぞれは、使用者によって圧力を加えることによって個々に破裂してよい。例えば、第１のタブ部分２４に圧力を加えることによって、第１の破裂可能袋２０のみが破裂してよいのに対し、第２のタブ部分２６のみに圧力を加えることによって、第２の破裂可能袋２２のみが破裂してよい。
【００３２】
典型的な実施の形態において、図２及び図３に示したように第２のタブ部分２６を形成している第２のフィルム１２の部分が、第１のタブ部分２４を形成している第２のフィルム１２の部分に隣接して配置されかつこの第２のフィルム１２の部分に解放可能に固定されるように、第１の位置における第１のフィルム１１及び第２のフィルム１２は折り畳まれていてよい。つまり、例えば、第１の破裂可能袋２０及び第２の破裂可能袋２２は概して"積み重ねられた"第１の位置に位置してよく、この場合、図３に鉛直方向の矢印によって示したように使用者によって圧力が加えられる方向に関して、第２の破裂可能袋２２が概して第１の破裂可能袋２０の上方又は下方に位置している。
【００３３】
幾つかの実施の形態において、第１のフィルム１１及び第２のフィルム１２を折り畳むことは、折り線３０を形成してよい。例えば、折り線３０は、概して、第１のフィルム１１及び第２のフィルム１２を折り畳むことによって生ぜしめられた第１のフィルム１１及び／又は第２のフィルム１２における折り目であってよい。しかしながら、択一的に、折りを補助しかつ折りが適切な位置において行われることを保証するために、第１のフィルム１１及び第２のフィルム１２が折り畳まれる前に第１のフィルム１１及び／又は第２のフィルム１２に折り線３０が設けられていてよい。折り線３０は、第１のタブ部分２４及び第２のタブ部分２６を形成してよい。
【００３４】
接着剤層７０は、第１のフィルム１１及び第２のフィルム１２が図２及び図３に示したような第１の位置にあるときに、第２のタブ部分２６を形成している第２のフィルム１２の部分を、第１のタブ部分２４を形成している第２のフィルム１２の部分に解放可能に固定してよい。接着剤層７０は、パッケージ１０が第１の位置にあるときにフィルム層１２の様々な部分の間の結合を提供することができかつ使用者によるタブ領域１６の操作によってフィルム層１２の様々な部分を互いから解放させることができるあらゆる接着剤層、物質又は化合物であってよい。例えば、典型的な実施の形態において、接着剤層７０は、ホットメルト接着剤であってよい。使用者は、タブ領域１６に圧力を加える前後又はその最中に、使用者の指の間でタブ部分２４及び２６のようなタブ領域１６をこする。典型的な実施の形態において、このわずかな操作は、接着剤層７０の結合を破壊しかつフィルム層１２の様々な部分を分離させるのに十分であってよい。つまり、典型的な実施の形態において、使用者は有利には片手だけを用いて接着剤層７０の結合を破壊してよい。択一的に、使用者は、フィルム層１２の様々な部分を引き離すか又は剥がし取ってよいか、又はあらゆる公知の分離技術を用いて様々な部分を分離させてよい。接着剤層７０は、第２のタブ部分２６を形成している第２のフィルム１２の部分全体及び第１のタブ部分２４を形成している第２のフィルム１２の部分全体に提供されてよいか、又は接着剤層７０のスポット提供等によって、第２のタブ部分２６を形成している第２のフィルム１２の部分及び第１のタブ部分２４を形成している第２のフィルム１２の部分の幾つかの部分だけに提供されてよいことを理解すべきである。
【００３５】
さらに加えて又はそれに代えて、図１１及び図１２に示したように、第１のフィルム１１及び第２のフィルム１２が第１の位置にあるときに、雄型ファスナ７４及び雌型ファスナ７６が、第２のタブ部分２６を形成している第２のフィルム１２の部分を、第１のタブ部分２４を形成している第２のフィルム１２の部分に解放可能に固定してよい。典型的な実施の形態において雄型ファスナ７４は第２のフィルム１２から突出したタブであってよい。これに代えて、雄型ファスナ７４は、例えば、フック、フック及びループファスナのフック部分、突出部、又は固定装置のあらゆるその他の適切な雄型構成部分であってよい。典型的な実施の形態において雌型ファスナ７６は第２のフィルム１２から突出した又は第２のフィルム１２に形成されたスロットであってよい。これに代えて、雌型ファスナ７６は例えば、対応するフック、ループ、フック及びループファスナのループ部分、凹所、又は固定装置のあらゆるその他の適切な雌型構成部分であってよい。雄型ファスナ７４は、第１のタブ部分２４を形成している第２のフィルム１２の部分に隣接して第２のフィルム１２から突出していてよい。この実施の形態において、他方、雌型ファスナ７６は、第２のタブ部分２６を形成している第２のフィルム１２の部分に隣接して第２のフィルム１２から突出しているか又は第２のフィルム１２に形成されている。これに代えて、雌型ファスナ７６は、第１のタブ部分２４を形成している第２のフィルム１２の部分に隣接して、第２のフィルム１２から突出しているか又は第２のフィルム１２に形成されていてよい。この実施の形態において、雄型ファスナ７４は、第２のタブ部分２６を形成している第２のフィルム１２の部分に隣接して第２のフィルム１２から突出している。雄型ファスナ７４は、雌型ファスナ７６に差し込まれるか、滑り込まされるか、引っ掛けられるか、又はその他の形式で解放可能に固定される。上述のように、使用者は、タブ領域１６に圧力を加える前後又はその最中に、使用者の指の間でタブ部分２４及び２６のようなタブ領域１６をこすってよい。典型的な実施の形態において、この僅かな操作は、雄型ファスナ７４を雌型ファスナ７６から分離させかつこれによりフィルム層１２の様々な部分を分離させるのに十分であってよい。典型的な実施の形態において、使用者は、有利には片手だけによって雄型ファスナ７４と雌型ファスナ７６とを分離させてよい。これに代えて、使用者は、フィルム層１２の様々な部分を引き離す又は剥がし取ってよいか、又はあらゆる公知の分離技術を用いて様々な部分を分離させてよい。２つ以上の雄型ファスナ７４及び雌型ファスナ７６がタブ部分２４及び２６に隣接して設けられてよいこと、及び、ファスナ７４，７６のいずれかがタブ部分２４及び２６のいずれかに隣接して設けられ、対応するファスナ７４，７６が他方のタブ部分２４又は２６に隣接して設けられていてよいことを理解すべきである。
【００３６】
図４、図５及び図９に示した第２の位置において、第１のタブ部分２４及び第２のタブ部分２６は互いに流体接続していてよい。例えば、第１のタブ部分２４及び第２のタブ部分２６が互いに流体接続しているときに、第１の破裂可能袋２０及び第２の破裂可能袋２２は互いに流体接続していてよい。さらに、第２の位置において、第２のタブ部分２６を形成している第２のフィルム１２の部分は、上記のように、第１のタブ部分２４を形成している第２のフィルム１２の部分から解放されていてよい。
【００３７】
幾つかの実施の形態において、接着剤層７０は、接着剤層７０の結合が破壊された後にフィルム層１２の様々な部分に残っていてよく、これにより、フィルム層１２の様々な部分を再び固定するために利用されてよいことを理解すべきである。つまり、使用者は、本明細書に記載された本開示のパッケージ１０を開放した後、パッケージ１０を第２の位置から第１の位置へ移動させ、フィルム層１２の様々な部分を押し付け、これにより、フィルム層１２の様々な部分と接着剤層７０との間に解放可能な結合を再び形成することによって、パッケージ１０の内部体積１５に含まれた製品８０の全て又は一部を貯蓄若しくは貯蔵するためにパッケージ１０を再シールすることができる。
【００３８】
幾つかの実施の形態において、フィルム層１２の様々な部分を再固定するために雄型構成部分７４及び雌型構成部分７６が利用されてよいことをさらに理解すべきである。つまり、使用者は、本明細書に記載のように本開示のパッケージ１０を開放した後、パッケージ１０を第２の位置から第１の位置から移動させ、例えば、雄型構成部分７４を雌型構成部分７６内へ差し込むか、滑り込ませるか又は引っ掛け、これにより、フィルム層１２の様々な部分を再固定することによって、パッケージ１０の内部体積１５に含まれた製品８０の全部又は一部を貯蓄又は貯蔵するためにパッケージ１０を再シールすることができる。
【００３９】
典型的な実施の形態において、第１の破裂可能袋２０及び第２の破裂可能袋２２は、少なくとも１つのタブ領域１６に使用者によって圧力を加えたときに実質的に同時に破裂してよい。例えば、上記のように、第１の位置におけるパッケージ１０は、図２及び図３に示したように、第１のタブ部分２４を形成している第２のフィルム１２の部分に隣接して配置されかつこの部分に解放可能に固定されるように折り畳まれた、第２のタブ部分２６を形成している第２のフィルム１２の部分を有してよい。つまり、タブ領域１６に圧力を加える使用者は、図３に鉛直方向の矢印によって示したように、第１のタブ部分２４及び第２のタブ部分２６の両方に圧力を加えてよい。例えば、使用者は、使用者の親指と人差し指との間にタブ領域１６を保持し、タブ領域１６を押し付けてよい。親指と人差し指との間でタブ領域１６を押し付けることにより、使用者は、第１のタブ部分２４及び第２のタブ部分２６の両方に実質的に同時に圧力を加えてよく、その結果、第１の破裂可能袋２０及び第２の破裂可能袋２２を実質的に同時に破裂させる。つまり、典型的な実施の形態において、使用者は、有利には、片手だけを用いて第１の破裂可能袋２０及び第２の破裂可能袋２２を実質的に同時に破裂させてよい。しかしながら、これに代えて、第１の破裂可能袋２０及び第２の破裂可能袋２２は個別に破裂させられてよいか、又は順次に破裂させられてよい。
【００４０】
作動時、上記のように、第１の破裂可能袋２０は、封入部１４と第１のタブ部分２４との間の第１の破裂通路４２を形成するように破裂させられ、第２の破裂可能袋２２は、第２のタブ部分２６とパッケージ周縁部１８との間に第２の破裂通路５２を形成するように破裂させられてよい。つまり、破裂可能袋２０及び２２が破裂させられ、第１のタブ部分２４と第２のタブ部分２６とが互いに流体接続するようにパッケージ１０が第２の位置になると、封入部１４とパッケージ周縁部１８とはタブ領域１６を通じて流体接続してよい。例えば、封入部１４とパッケージ周縁部１８とは、第１の破裂通路４２と、第２の破裂通路５２と、第１のタブ部分２４と、第２のタブ部分２６とを通じて流体接続してよい。製品８０は、図４に矢印で示したように、封入部１４から第１の破裂通路４２を通って第１のタブ領域２４へ流れ、第１のタブ領域２４から第２のタブ領域２６へ流れ続け、第２のタブ領域２６から第２の破裂通路５２を通じてパッケージ周縁部１８へ流れさせられてよい。製品８０がパッケージ周縁部１８に達すると、製品８０は、パッケージ１０の外部の周囲環境に曝されてよい。次いで、製品８０は、例えば周囲環境内へ噴射されるか、皮膚又は毛髪などのパッケージ１０の外部のサブストレートに提供されるか、パッケージ１０から注ぎ出されるか、又はパッケージ１０から絞り出される。幾つかの実施の形態において、製品８０は、使用者からのいかなる補助もなしにパッケージ１０から流れてよいが、別の実施の形態において、製品８０は、封入部１４に使用者によって圧力が加えられたときにパッケージ１０から流れてよい。つまり、典型的な実施の形態において、本開示のパッケージ１０を開放させる使用者は、第１の破裂可能袋２０及び第２の破裂可能袋２２を"パン"とする若しくは破裂させてよく、次いで、パッケージ１０を第１の位置から第２の位置へ移動させた後に製品８０をパッケージ１０から絞り出してよい。
【００４１】
幾つかの実施の形態において、本開示のパッケージ１０は、さらに、少なくとも１つのタブ領域１６に配置されたバリア３２を有してよい。バリア３２は、タブ領域１６を第１のタブ部分２４及び第２のタブ部分２６に分割してよい。バリア３２は、さらに、このバリア３２を貫通したバリア通路３４を形成していてよい。つまり、第１のタブ部分２４と第２のタブ部分２６とが第２の位置において互いに流体接続しているときに、この流体接続は、バリア通路３４を通じて提供されてよい。
【００４２】
バリア通路３４は、有利には、破裂可能袋２０及び２２が破裂させられてパッケージ１０が第２の位置にあるときに、タブ領域１６を通る製品８０の流れを制御してよい。例えば、図６に示された様々な実施の形態において、バリア通路３４は、第１のタブ部分２４と第２のタブ部分２６との間の実質的に直線的な通路であってよい。バリア通路３４の幅は、製品８０の所望の流れ特性に応じて変化してよい。これに代えて、図７（ａ）及び図７（ｂ）に示した様々な実施の形態において、バリア通路３４は、第１のタブ部分２４と第２のタブ部分２６との間の迂回した又は蛇行した通路であってよい。バリア通路３４の幅及びバリア通路３４の迂回した又は蛇行した経路の両方は、製品８０の所望の流れ特性に応じて変化してよい。図８に示した別の択一的な実施の形態において、バリア通路３４は、製品８０の所望の流れ特性に応じて、第１のタブ部分２４と第２のタブ部分２６との間のテーパした通路であってよく、このテーパした通路は、第２のタブ部分２６に隣接した幅よりも狭い又は広い、第１のタブ部分２４に隣接した幅を有する。
【００４３】
図１０に示したように、本開示のパッケージ１０は、２つ以上の封入部１４と、２つ以上のタブ領域１６とを有してよい。例えば、第１のフィルム１１及び第２のフィルム１２は、複数の封入部１４及び複数のタブ領域１６を形成するように互いにシールされていてよい。封入部１４は、接着剤層７２の使用などによって、第１及び第２のシールされた部分４０及び５０並びに周縁シール１８と同様にシールされていてよい封入部シール１９によって、互いに対してシールされていてよい。典型的な実施の形態において、封入部１４の各々は少なくとも１つのタブ領域１６と組み合わされていてよい。つまり、本開示のパッケージ１０は、２つ以上の製品８０とともに利用されてよい。例えば、１つのタイプの製品８０が１つの封入部の内部体積１５に配置されていてよく、その一方で、別の関連する又は関連しない製品８０が別の封入部の内部体積１５に配置されていてよい。製品８０は、例えば、上記のように、ケチャップとマスタード、異なるタイプのマスタード、シャンプーとコンディショナ、又はあらゆるその他の適切なゲル状製品、液体製品、固体又は顆粒状固体製品、又は製品の混合物であってよい。
【００４４】
本開示は、パッケージ１０を開放する方法にも関する。この方法は、例えばパッケージ１０の少なくとも１つのタブ領域１６に圧力を加えるステップを有してよい。少なくとも１つのタブ領域１６は、第１のタブ部分２４及び第２のタブ部分２６を有してよい。第１のタブ部分２４及び第２のタブ部分２６は、上記のように、互いに対して実質的にシールされた第１の位置に配置されていてよい。
【００４５】
この方法は、さらに、第１の破裂可能袋２０を破裂させかつ第２の破裂可能袋２２を破裂させるステップを有してよい。上記のように、第１の破裂可能袋２０は第１のタブ部分２４内に形成されていてよく、第２の破裂可能袋２２は第２のタブ部分２６内に形成されていてよい。
【００４６】
幾つかの典型的な実施の形態において、第１の破裂可能袋２０を破裂させるステップは、封入部１４と第１のタブ部分２４との間に第１の破裂通路４２を形成するために第１のフィルム１１及び第２のフィルム１２の第１のシールされた部分４０を分離させることを含んでよく、第２の破裂可能袋２２を破裂させるステップは、第２のタブ部分２６とパッケージ周縁部１８との間に第２の破裂通路５２を形成するために第１のフィルム１１及び第２のフィルム１２の第２のシールされた部分５０を分離させることを含んでよい。さらに、幾つかの典型的な実施の形態において、上記のように、第１の破裂可能袋２０を破裂させるステップと、第２の破裂可能袋２２を破裂させるステップとは、同時に生じてよい。
【００４７】
方法は、さらに、第１のタブ部分２４及び第２のタブ部分２６を、第１の位置から、互いに流体接続した第２の位置へシフトさせるステップを含んでよい。例えば、上記のように、接着剤層７０及び／又は雄型ファスナ及び雌型ファスナ７４，７６は、第１のフィルム１１及び第２のフィルム１２が第１の位置にあるときに、第２のタブ部分２６を形成している第２のフィルム１２の部分を、第１のタブ部分２４を形成している第２のフィルム１２の部分に解放可能に固定してよい。本開示のパッケージ１０を開放させるプロセスの間、使用者は、例えば、パッケージ１０が第１の位置にあるときに使用者の親指と人差し指の間でタブ部分２４及び２６のようなタブ領域１６をこすってよい。典型的な実施の形態において、この僅かな操作は、接着剤層７０の結合を破壊するか又は雄型ファスナ７４を雌型ファスナ７６から分離させかつフィルム層１２の様々な部分を分離させるのに十分であってよく、これにより、第１のタブ部分２４及び第２のタブ部分２６を第１の位置から第２の位置へシフトさせる。択一的に、使用者は、フィルム層１２の様々な部分を引き離す若しくは剥ぎ取ってよいか、あらゆる公知の分離技術を用いて様々な部分を分離させてよい。
【００４８】
上記のように、第１の位置において、第１のフィルム１１及び第２のフィルム１２は、第２のタブ部分２６を形成している第２のフィルム１２の部分が、第１のタブ部分２４を形成している第２のフィルム１２の部分に隣接して配置され、かつこの部分に解放可能に固定されるよう、折り畳まれてよい。さらに、上記のように、第２の位置において、第２のタブ部分２６を形成している第２のフィルム１２の部分は、第１のタブ部分２４を形成している第２のフィルム１２の部分から解放されてよい。
【００４９】
上記のように、この方法のパッケージ１０は、第１のフィルム１１及び第２のフィルム１２を有してよい。第１のフィルム１１及び第２のフィルム１２は、封入部１４及び少なくとも１つのタブ領域１６を形成してよく、パッケージ周縁部１８を形成してよい。封入部１４は、製品８０を収容するよう構成された内部体積１５を形成してよい。
【００５０】
典型的な実施の形態において、パッケージ１０はさらに、少なくとも１つのタブ領域１６に配置されたバリア３２を有してよい。バリア３２は、タブ領域１６を第１のタブ部分２４と第２のタブ部分２６とに分割してよい。上記のように、バリア３２は、このバリア３２を貫通したバリア通路３４を形成してよい。
【００５１】
本開示は、パッケージ１０を形成する方法にも関する。例えば、ここで図１３を参照すると、この方法は、第１のフィルム１１を提供することを含む。第１のフィルム１１は、図１３に示したように第１のフィルム１１の１つ又は複数のスプール１００のようなあらゆる適切な供給源から、又は第１のフィルム１１の積層又は別の適切な供給源から提供されてよい。さらに、第１のフィルム１１は、例えばプロセッサによって制御されてよい自動化されたシステムなどを介して自動的に提供されてよいか、又は第１のフィルム１１は手動で提供されてよい。
【００５２】
方法は、さらに、例えば、第１のフィルム１１に封入部１４及び少なくとも１つのタブ領域１６を形成するステップを含んでよい。上記のように、封入部１４は、製品８０を収容するよう構成された内部体積１５を形成してよい。さらに、上記のように、幾つかの実施の形態において、少なくとも１つのタブ領域１６は、第１のタブ部分２４及び第２のタブ部分２６を有してよい。
【００５３】
形成ステップは、概して、あらゆる適切な形成装置によって行われてよい。例えば、１つの実施の形態において、形成ステップは、封入部１４及び少なくとも１つのタブ領域１６を真空成形することを含む。さらに、形成ステップは、第１のフィルム１１を加熱することを含んでよい。例えば、封入部１４及び少なくとも１つのタブ領域１６は、加熱と、その次の真空成形とによって形成されてよい。図１３に示したような１つの実施の形態において、加熱エレメント１０２は第１のフィルム１１を加熱してよく、真空エレメント１０４は次いで封入部１４及び少なくとも１つのタブ領域１６を真空成形してよい。択一的な実施の形態において、形成ステップは、スタンピング、絞り加工、又はあらゆるその他の適切な形成プロセスによって行われてよい。形成ステップは、例えばプロセッサによって制御されてよい自動化されたシステムなどによって自動的に行われるか、又は手動で行われてよい。
【００５４】
幾つかの実施の形態において、形成ステップは、さらに、例えばバリア３２を形成することを含んでよい。バリア３２は、上記のように、真空成形、加熱、スタンピング、絞り加工、又はあらゆるその他の適切な形成プロセスによって形成されてよい。バリア３２は、上記のように、少なくとも１つのタブ領域１６に配置されてよく、少なくとも１つのタブ領域３２を第１のタブ部分２４と第２のタブ部分２６とに分割してよい。さらに、バリア３２は、上記のように、バリアを貫通したバリア通路３４を形成してよい。
【００５５】
方法は、さらに、例えば流体を少なくとも１つのタブ領域１６に導入するステップを含んでよい。幾つかの実施の形態において、流体は、第１のタブ部分２４及び第２のタブ部分２６のうちの一方又は両方に導入されてよい。上記のように、流体は、液体又は気体であってよく、１つの実施の形態において、空気であってよい。幾つかの実施の形態において、導入ステップは、単に、周囲空気のような周囲流体が少なくとも１つのタブ領域１６内に収容されることによって達成されてよい。択一的な実施の形態において、ファン、ホース又はその他の適切な流体接続装置のようなあらゆる適切な装置が、流体を少なくとも１つのタブ領域１６に導入するために利用されてよい。導入ステップは、例えばプロセッサによって制御されてよい自動化されたシステムなどによって自動的に行われてよいか、又は手動で行われてよい。
【００５６】
方法は、さらに、例えば製品８０を封入部１４に導入するステップを含んでよい。製品８０は、幾つかの実施の形態における消費者製品のようなあらゆる適切な製品であってよい。導入ステップは、製品８０を封入部内に配置又はその他の形式で提供することによって達成されてよい。導入ステップは、例えばプロセッサによって制御されてよい自動化されたシステムなどによって自動的に行われてよいか、又は手動で行われてよい。
【００５７】
幾つかの実施の形態において、方法は、さらに、例えば封入部１４を空にするステップを含んでよい。例えば、封入部内の周囲空気、その他の流体及び／又は汚染物は、例えば封入部１４を滅菌するために封入部から排出されてよい。封入部１４を空にするために、真空装置のようなあらゆる適切な装置が利用されてよい。さらに加えて又はこれに代えて、方法は、例えば流体を封入部１４に導入するステップを含んでよい。流体は、例えば、封入部１４及び／又は封入部１４内の製品８０を保護、保存及び／又は滅菌するよう計画された適切な保護流体であってよい。上記の流体接続装置のようなあらゆる適切な装置が、流体を封入部１４に導入するために利用されてよい。
【００５８】
方法は、さらに、第１のフィルム１１に隣接して第２のフィルム１２を提供するステップを含んでよい。第２のフィルム１２は、第２のフィルム１２が概して封入部１４及び少なくとも１つのタブ領域１６を被覆するよう提供されてよい。例えば、第２のフィルム１２の１つの連続的なシートが、封入部１４及び少なくとも１つのタブ領域１６を被覆してよいか、又は第２のフィルム１２の別々のシートが、封入部、及び少なくとも１つのタブ領域１６又はその様々な部分を被覆してよい。第２のフィルム１２は、図１３に示したように、第２のフィルム１２の１つ又は複数のスプール１０６のようなあらゆる適切な供給源から、又は第２のフィルム１２の積層又は別の適切な供給源から提供されてよい。さらに、第２のフィルム１２は、例えばプロセッサによって制御されてよい自動化されたシステムなどを介して自動的に提供されてよいか、又は第２のフィルム１２は手動で提供されてよい。
【００５９】
方法は、さらに、パッケージ周縁部１８を形成しかつ少なくとも１つのタブ領域１６において少なくとも１つの破裂可能袋を形成するように第１のフィルム１１と第２のフィルム１２とを互いにシールするステップを含んでよい。幾つかの実施の形態において、シールするステップは、第１のフィルム１１及び第２のフィルム１２に熱を加え、かつ第１のフィルム１１及び第２のフィルム１２に圧力を加えることを含む。例えば、図１３に示したような幾つかの実施の形態において、フィルム１１，１２に圧力及び／又は熱を加えるために、適切なシーリング装置１１０が利用されてよい。択一的な実施の形態において、シールするステップは、第１のフィルム１１と第２のフィルム１２との間に接着剤層７２のような接着剤を提供し、かつ第１のフィルム１１及び第２のフィルム１２に圧力を加えることを含む。さらに、第１のフィルム１１と第２のフィルム１２とを互いにシールするために、あらゆるその他の適切なシーリング技術が利用されてよい。
【００６０】
上記のように、シールする時に、十分な流体が少なくとも１つの破裂可能袋内に捕捉され、これにより、少なくとも１つのタブ領域１６に使用者によって圧力を加えた時に、破裂可能袋が破裂し、第１のフィルム１１のシールされた部分を第２のフィルム１２から分離させる。さらに、幾つかの実施の形態において、第１のフィルム１１と第２のフィルム１１とを互いにシールすることが、少なくとも１つのタブ領域１６の第１のタブ部分２４における第１の破裂可能袋２０と、少なくとも１つのタブ領域１６の第２のタブ部分２６における第２の破裂可能袋２２とを形成する。これらの実施の形態において、シールする時に、十分な流体が第１の破裂可能袋２０内に捕捉され、これにより、少なくとも１つのタブ領域１６に使用者によって圧力を加えた時に、第１の破裂可能袋２０が破裂し、第１のフィルム１１及び第２のフィルム１２の第１のシールされた部分４０を第２のフィルム１２から分離させ、封入部１４と第１のタブ部分２４との間に第１の破裂通路４２を形成する。さらに、十分な流体が第２の破裂可能袋内に捕捉され、これにより、少なくとも１つのタブ領域１６に使用者によって圧力が加えられた時に、第２の破裂可能袋２２が破裂し、第１のフィルム１１及び第２のフィルム１２の第２のシールされた部分５０を分離させ、これにより、第２のタブ部分２６とパッケージ周縁部１８との間に第２の破裂通路５２を形成する。
【００６１】
幾つかの実施の形態において、方法は、さらに、第１のフィルム１１及び／又は第２のフィルム１２に折り線３０を形成するステップを含んでよい。典型的な実施の形態において、折り線３０は、第１のタブ部分２４と第２のタブ部分２６とを形成してよい。上記のように、折り線３０は、概して、第１のフィルム１１及び／又は第２のフィルム１２における折り目であってよい。図１３に示したような幾つかの実施の形態において、折り線３０を形成するために折り目形成装置１１２が利用されてよい。折り目形成装置１１２は、例えば、第１のフィルム１１及び／又は第２のフィルム１２をプレスするか又はその他の形式で係合することによって折り線３０を形成するよう構成されたブレード又はポンチであってよい。択一的に、折り目形成装置１１２は、折り線３０を形成するために第１のフィルム１１及び／又は第２のフィルム１２を適切な位置において折り畳むよう構成された装置であってよいか、又は折り線３０を形成するためのあらゆる適切な装置であってよい。折り目形成装置１１２は、例えばプロセッサによって制御されてよい自動化されたシステムなどを介して自動的に作動させられてよいか、又は手動で作動させられてよい。択一的な実施の形態において、折り線３０は、例えば、折り線３０を形成するために人間のオペレータが単に第１のフィルム１１及び／又は第２のフィルム１２を適切な位置において折り畳むことによって形成されてよい。
【００６２】
幾つかの実施の形態において、方法は、さらに、第１のフィルム１１及び第２のフィルム１２を第１の位置に折り畳むことを含んでよい。上記のように、第１の位置において、第１のタブ部分２４及び第２のタブ部分２６は、破裂を容易にするために互いに対して実質的にシールされているのに対し、第２の位置において、第１のタブ部分２４及び第２のタブ部分２６は互いに流体接続している。図１３に示したような幾つかの実施の形態において、第１のフィルム１１及び第２のフィルム１２を折り畳むために折り装置１１４が利用されてよい。折り装置１１４は、例えば、折り線３０のような適切な位置において第１のフィルム１１及び／又は第２のフィルム１２を折り畳むよう構成されたあらゆる装置であってよい。折り装置１１４は、例えばプロセッサによって制御されてよい自動化されたシステムなどを介して自動的に作動させられてよいか、又は手動で作動させられてよい。択一的な実施の形態において、人間のオペレータが、単に、折り線３０のような適切な位置において第１のフィルム１１及び第２のフィルム１２を折り畳んでよい。
【００６３】
上記のように、幾つかの典型的な実施の形態において、第１の位置における第１のフィルム１１及び第２のフィルム１２は、第２のタブ部分２６を形成している第２のフィルム１２の位置が第１のタブ部分２４を形成している第２のフィルム１２の部分に隣接して配置されかつこの部分に解放可能に固定されるように、折り畳まれていてよい。さらに加えて、上記のように幾つかの典型的な実施の形態において、第２の位置において、第２のタブ部分２６を形成している第２のフィルム１２の部分は、第１のタブ部分２４を形成している第２のフィルム１２の部分から解放されていてよい。
【００６４】
さらに、上記のような典型的な実施の形態において、少なくとも１つのタブ領域１６に使用者によって圧力が加えられた時に、第１の破裂可能袋２０及び第２の破裂可能袋２２は実質的に同時に破裂させられる。
【００６５】
幾つかの実施の形態において、方法は、さらに、パッケージ１０を分離させることを含んでよい。例えば、図１３に示したように、第１のフィルム１１及び第２のフィルム１２は、パッケージ１０の複数の縦列及び横列を形成するために利用されてよい。本開示によってパッケージ１０が形成された後、パッケージ１０は、形成されている又は既に形成された他のパッケージ１０から分離されてよい。幾つかの実施の形態において、例えば、分離装置１１６はパッケージ１０を分離してよい。分離装置１１６は、例えば、パッケージ１０を分離させるためのブレード又はその他の適切な装置であってよい。分離装置１１６は、例えばプロセッサによって制御されてよい自動化されたシステムなどを介して自動的に作動させられてよいか、又は手動で作動させられてよい。
【００６６】
様々な上記ステップは、様々な市販のパッケージング装置によって行われてよい。例えば、第１のフィルム１１を提供すること、封入部１４及び少なくとも１つのタブ領域１６を形成すること、少なくとも１つのタブ領域１６に流体を導入すること、第１のフィルム１１に隣接して第２のフィルム１２を提供すること、及び／又は第１のフィルム１１及び第２のフィルム１２を互いにシールすることを含むがこれらに限定されないステップは、ステップを行うよう構成された様々な市販のパッケージング装置によって行われてよい。このような市販の装置の例は、BOSCH PACKAGING TECHNOLOGY（ROBERT BOSCH GmbHの子会社）、BOSSAR PACKAGING, CFS B.V.、HAYSSENSANDIACRE、KLIKLOK-WOODMAN、MULTIVAC INC.、及びVC999 PACKAGING SYSTEMS AG.によるパッケージング装置を含むが、これらに限定されない。
【００６７】
この文書は、最良の形態を含む発明を開示するために、また、あらゆる装置又はシステムを形成しかつ使用しかつあらゆる組み込まれた方法を実施することを含む、当業者が発明を実施することを可能にするために、例を用いている。発明の特許可能な範囲は、請求項によって規定されており、当業者に想起されるその他の例を含んでよい。このようなその他の例は、請求項の文言と異なる構造的エレメントを含むとしても、又は請求項の文言と実質的でない差異を有する均等の構造的エレメントを含むとしても、請求項の範囲に含まれることが意図されている。
【図１】
2013530104.tif 000003
【図２】
2013530104.tif 000004
【図３】
2013530104.tif 000005
【図４】
2013530104.tif 000006
【図５】
2013530104.tif 000007
【図６】
2013530104.tif 000008
【図７（ａ）】
2013530104.tif 000009
【図７（ｂ）】
2013530104.tif 000010
【図８】
2013530104.tif 000011
【図９】
2013530104.tif 000012
【図１０】
2013530104.tif 000013
【図１１】
2013530104.tif 000014
【図１２】
2013530104.tif 000015
【図１３】
2013530104.tif 000016
【国際調査報告】
2013530104.tif 000017
2013530104.tif 000018
2013530104.tif 000019